(57)【要約】【課題】エンジンを構成する構造体同士のシール面での適正な面圧を、より安定して確保、保持することのできるエンジンのシール構造を提供する。【解決手段】エンジンのシリンダブロック２が、シリンダブロック本体３とシリンダブロック外側壁４との別体構造からなり、それら接合面はシール部材３１によってシールされる。シリンダブロック外側壁４は樹脂材料からなり、シール部材３１は、軟性の弾性体材料からなる。このシール部材３１は、シリンダブロック外側壁４のシール対象となる面に環状に、且つその先端部が弾性変形可能に一体に埋設される。【選択図】      図４
2005207318.tif 000002
【特許請求の範囲】
【請求項１】
エンジンのシリンダブロックが、ウォータジャケットとする部位を境に、シリンダ側を構成するシリンダブロック本体と、同ウォータジャケットの外側壁を構成するシリンダブロック外側壁との別体構造からなり、前記シリンダブロック本体に設けられた前記シリンダブロック外側壁の載置面と同シリンダブロック外側壁の底面との間がシール部材によってシールされるエンジンのシール構造であって、
前記シリンダブロック外側壁は樹脂材料からなり、前記シール部材は、軟性の弾性体材料からなって、前記シリンダブロック外側壁のシール対象となる面に環状に、且つその先端部が弾性変形可能に一体に埋設されてなる
ことを特徴とするエンジンのシール構造。
【請求項２】
エンジンのシリンダブロックが、ウォータジャケットとする部位を境に、シリンダ側を構成するシリンダブロック本体と、同ウォータジャケットの外側壁を構成するシリンダブロック外側壁との別体構造からなり、当該エンジンのシリンダヘッドの底面と前記シリンダブロック外側壁の上面との間がシール部材によってシールされるエンジンのシール構造であって、
前記シリンダブロック外側壁は樹脂材料からなり、前記シール部材は、軟性の弾性体材料からなって、前記シリンダブロック外側壁のシール対象となる面に環状に、且つその先端部が弾性変形可能に一体に埋設されてなる
ことを特徴とするエンジンのシール構造。
【請求項３】
請求項１または２に記載のエンジンのシール構造において、
ａ．前記シール部材は、その環状に延びる方向と直交する断面が略凸状の形状を有していること、及び
ｂ．前記シリンダブロック外側壁のシール対象となる面も、前記シール部材の断面形状に対応して断面略凸形状の溝を有して成形されていること、及び
ｃ．前記シール部材は、前記断面略凸状の両側方の突出辺先端部が前記シリンダブロック外側壁の溝の底面両側方に埋め込まれるかたちで同シリンダブロック外側壁に埋設されていること、及び
ｄ．前記シール部材の前記断面略凸状の中央部の突出辺は、前記シリンダブロック外側壁のシール対象となる面から突出する長さに設定されていること、及び
ｅ．前記シール部材の中央部の突出辺と前記シリンダブロック外側壁の前記断面略凸形状の溝の開口部にあたる狭間隔の側壁との間には、前記シール部材の突出辺先端部における弾性変形を許容する間隙が設けられていること、
が満たされる態様にて、前記シール部材が前記シリンダブロック外側壁に一体に埋設されてなる
ことを特徴とするエンジンのシール構造。
【請求項４】
前記シール部材の前記断面略凸状の中央部の突出辺は、同断面が、前記弾性変形によってもシール幅を一定に保つことのできる形状に形成されてなる
請求項３に記載のエンジンのシール構造。
【請求項５】
前記シール部材の前記断面略凸状の中央部の突出辺は、同断面が略円形状に形成されてなる
請求項３に記載のエンジンのシール構造。
【請求項６】
前記シール部材が、ゴムガスケットからなる
請求項１〜５のいずれか一項に記載のエンジンのシール構造。
【発明の詳細な説明】
【技術分野】
【０００１】
本発明は、エンジンのシール構造に係り、詳しくはエンジンのシリンダブロックのシール構造に関する。
【背景技術】
【０００２】
従来、車載内燃機関などのエンジンを構成する各構造体をシールするシール構造としては、例えば特許文献１に記載されたものが知られている。この特許文献１に記載のシール構造は、シール対象となる第１部材および第２部材のいずれか一方に環状溝を設け、この環状溝に環状のシール部材とこのシール部材の面圧を増大させるための面圧増大手段とを設けるようにしている。ここで、シール部材は、樹脂又はゴムからなる弾性材により形成され、また面圧増大手段は、形状記憶合金や熱膨張性のガスにより形成されている。すなわち、この面圧増大手段は、シール部材と上記環状溝の溝底との間に介在、或いはシール部材の内部に封入されて、エンジンの実働時の温度上昇に伴ってシール部材の面圧を調整するように機能する。このように、温度の上昇とともに面圧の調整がなされることで、第１部材と第２部材との間で良好なシール性が得られるようになる。
【特許文献１】特開２００２−８１５４２号公報
【発明の開示】
【発明が解決しようとする課題】
【０００３】
ところで、前記特許文献１に記載されたシール構造にあっては、これに使用される面圧増大手段が形状記憶合金や熱膨張ガスなどからなるため、当該シール構造自体が複雑な構造となり、その製造、並びに製品コストの増加が避けられない。
【０００４】
また、上記面圧増大手段に形状記憶合金を用いる場合には、形状記憶合金自体がその形状の復元特性に温度ヒステリシスを持っているため、ある同一の温度に対して常に同一の形状が維持されるとは限らず、上記シール部材の面圧が不均一になるおそれがある。
【０００５】
一方、同面圧増大手段に熱膨張性のガスを用いる場合には、このガスがシール部材の内部に封入される構造となるため、シール部材の劣化によって亀裂等が生じた場合は、同ガスの漏れに起因してシール機能そのものが消失するおそれがある。
【０００６】
本発明は、上記実情に鑑みてなされたものであり、より簡素な構造でありながら、エンジンの構造体同士のシール面での適正な面圧を、より安定して確保、保持することのできるエンジンのシール構造を提供することを目的とする。
【課題を解決するための手段】
【０００７】
以下、上記目的を達成するための手段、及びその作用効果について記載する。
請求項１に記載の発明は、エンジンのシリンダブロックが、ウォータジャケットとする部位を境に、シリンダ側を構成するシリンダブロック本体と、同ウォータジャケットの外側壁を構成するシリンダブロック外側壁との別体構造からなり、前記シリンダブロック本体に設けられた前記シリンダブロック外側壁の載置面と同シリンダブロック外側壁の底面との間がシール部材によってシールされるエンジンのシール構造であって、前記シリンダブロック外側壁は樹脂材料からなり、前記シール部材は、軟性の弾性体材料からなって、前記シリンダブロック外側壁のシール対象となる面に環状に、且つその先端部が弾性変形可能に一体に埋設されてなることをその要旨とする。
【０００８】
また、請求項２に記載の発明は、エンジンのシリンダブロックが、ウォータジャケットとする部位を境に、シリンダ側を構成するシリンダブロック本体と、同ウォータジャケットの外側壁を構成するシリンダブロック外側壁との別体構造からなり、当該エンジンのシリンダヘッドの底面と前記シリンダブロック外側壁の上面との間がシール部材によってシールされるエンジンのシール構造であって、前記シリンダブロック外側壁は樹脂材料からなり、前記シール部材は、軟性の弾性体材料からなって、前記シリンダブロック外側壁のシール対象となる面に環状に、且つその先端部が弾性変形可能に一体に埋設されてなることをその要旨とする。
【０００９】
これらいずれのシール構造にせよ、上記シリンダブロック外側壁そのものが定寸締めの機能を果たすこととなり、上記軟性の弾性体材料からなるシール部材の弾性変形とも相まって、シリンダブロック外側壁の底面とシリンダブロック本体とのシール面、あるいはシリンダブロック外側壁の上面とシリンダヘッドとの間のシール面での面圧を適正に、しかも安定して確保、保持することができるようになる。また、上記シリンダブロック外側壁が樹脂材料からなることで、例えばその型成形に際し、上記軟性の弾性体材料からなるシール部材を成形用の型（金型）に載置した状態で、これが埋設されるように一体成形することも容易であり、その構造自体が極めて簡素なものともなる。
【００１０】
また、請求項３に記載の発明は、上記請求項１または２に記載のエンジンのシール構造において、
ａ．前記シール部材は、その環状に延びる方向と直交する断面が略凸状の形状を有していること、
ｂ．前記シリンダブロック外側壁のシール対象となる面も、前記シール部材の断面形状に対応して断面略凸形状の溝を有して成形されていること、
ｃ．前記シール部材は、前記断面略凸状の両側方の突出辺先端部が前記シリンダブロック外側壁の溝の底面両側方に埋め込まれるかたちで同シリンダブロック外側壁に埋設されていること、
ｄ．前記シール部材の前記断面略凸状の中央部の突出辺は、前記シリンダブロック外側壁のシール対象となる面から突出する長さに設定されていること、
ｅ．前記シール部材の中央部の突出辺と前記シリンダブロック外側壁の前記断面略凸形状の溝の開口部にあたる狭間隔の側壁との間には、前記シール部材の突出辺先端部における弾性変形を許容する間隙が設けられていること、
がそれぞれが満たされる態様にて、前記シール部材が前記シリンダブロック外側壁に一体に埋設されてなることをその要旨とする。
【００１１】
このようなシール構造によれば、上記シリンダブロック外側壁による定寸締めの機能がより確実に果たされるようになるとともに、上記シール面においてシール部材を噛み込むようなこともなくなり、同シール面での面圧もより安定したものとなる。また、このような構造は、上記樹脂材料からなるシリンダブロック外側壁を型成形によって形成する際に特に有効であり、上記軟性の弾性体材料からなるシール部材をこのシリンダブロック外側壁に対してより容易に埋設することができるようになる。
【００１２】
また、請求項４に記載の発明は、上記請求項３に記載のエンジンのシール構造において、前記シール部材の前記断面略凸状の中央部の突出辺は、同断面が、前記弾性変形によってもシール幅を一定に保つことのできる形状に形成されてなることをその要旨とする。
【００１３】
上記シール部材としてこのような形状のものを採用することで、上記シール面での面圧も常に一定に保持されるようになり、同シール構造として、そのシール性能の更なる向上が図られるようになる。
【００１４】
また請求項５に記載の発明は、同じく上記請求項３に記載のエンジンのシール構造において、前記シール部材の前記断面略凸状の中央部の突出辺は、同断面が略円形状に形成されてなることをその要旨とする。
【００１５】
シール部材としてこのような形状は、その中央部の突出辺の弾性変形によってもシール幅を一定に保つことのできる最も簡素且つ実現の容易な形状である。しかも載置時に上記突出辺の中心がシール中心から逸れて組み付けられる場合であっても、同突出辺の断面形状が略円形のため、これによってもシール幅は略一定に保たれる。したがってこの場合も、上記シール面での面圧は常に一定に保持されるようになり、同シール構造として、そのシール性能の更なる向上が図られるようになる。
【００１６】
そして、請求項６に記載の発明は、上記請求項１〜５のいずれか一項に記載のエンジンのシール構造において、前記シール部材が、ゴムガスケットからなることをその要旨とする。
【００１７】
上記ゴムガスケットは、エンジンのウォータジャケット等、例えば水周りのシール部材としては十分なシール性能を有している。しかも、上記軟性の弾性体材料として、最も入手し易く且つ安定した材料の一つでもある。したがって、シール部材としてゴムガスケットを採用する上記シール構造によれば、当該シール構造をより安価、且つ容易に実現することができるようにもなる。
【発明を実施するための最良の形態】
【００１８】
（第１の実施の形態）
以下、本発明に係るエンジンのシール構造の第１の実施の形態について、図面を参照して説明する。
【００１９】
図１は、本実施の形態に係るエンジンのシール構造が適用される、一般的な直列４気筒式のエンジン１の構成を示している。この図１に示されるように、エンジン１は、大きくはシリンダブロック２とシリンダヘッド６とを有して構成されている。また、これらシリンダブロック２とシリンダヘッド６との間にはシール部材であるガスケット５が配設されている。
【００２０】
図２に、このようなエンジン１の分解斜視構造を示す。この図２に示されるように、シリンダブロック２は、ウォータジャケットとする部位を境に、シリンダ側を構成するシリンダブロック本体３と、ウォータジャケットの外側壁を構成するシリンダブロック外側壁４とを有している。これらシリンダブロック本体３及びシリンダブロック外側壁４は別体とされ、それらが組み合わされることによりシリンダブロック２が構成される。
【００２１】
ここで、シリンダブロック本体３は、上部に設けられた４つのシリンダ７、下部に設けられたスカート１０、及びシリンダ７とスカート１０との間に設けられた外側壁載置部１４を備えている。これらシリンダブロック本体３を構成する各部は、アルミニウム合金やマグネシウム合金等により一体に鋳造されている。また、上記４つのシリンダ７の各内周面にはボアを形成するシリンダライナ８が鋳込まれている。このシリンダライナ８は、鉄合金等の耐摩耗性に優れた材料により形成されている。また、外側壁載置部１４には、各シリンダ７の下端部を囲むように同シリンダ７の軸と直交する方向に延びる載置面１１が形成されている。この載置面１１において、各シリンダ７の周り計１０箇所には、後述する締結用のボルトが螺入されるボルト穴１９が設けられている。さらに、同じく載置面１１において、対角位置の２箇所には、上記シリンダブロック外側壁４を位置決めするためのノックピン２０が突出して設けられている。また、スカート１０及び外側壁載置部１４の表面には補強用のリブ１２、１３が複数設けられている。
【００２２】
一方、シリンダブロック外側壁４は、樹脂材料等により成形されている。このシリンダブロック外側壁４は、シリンダブロック本体３の各シリンダ７の外周面９に対向して、ウォータジャケットの外壁を形成する内周面２１を有して環状に成形されている。また、このシリンダブロック外側壁４には内周面２１の軸方向に沿う計１０箇所にボルト挿通孔１８が貫通形成されている。このボルト挿通孔１８は、シリンダブロック本体３に設けられた上記ボルト穴１９に対応してそれぞれ設けられている。
【００２３】
本実施の形態に係るエンジンのシール構造は、これらシリンダブロック本体３とシリンダブロック外側壁４との間におけるシール構造であり、以下、図３〜図５を併せ参照して、このシール構造について詳述する。
【００２４】
図３は、上記シリンダブロック外側壁４の底面構造を示したものである。上述のように、シリンダブロック外側壁４には、４つのシリンダ７（図２）を取り囲むように環状に内周面２１が形成されている。そして、この内周面２１が、以下に説明するウォータジャケットの外壁となる。また、このシリンダブロック外側壁４の底面２３には、上記内周面２１に沿うように、環状にシール部材３１が埋設されている。このシール部材３１は、ゴムガスケット等、軟性の弾性体材料からなり、シリンダブロック外側壁４に一体に埋設されている。さらに、このシリンダブロック外側壁４の底面２３には、上記シリンダブロック本体３に設けられているノックピン２０が挿入されるための位置決め穴２２が、同シリンダブロック本体３のノックピン２０と対応する位置に設けられている。
【００２５】
また図４は、本実施の形態にかかるシール構造も含めて、上記エンジン１の縦断面構造を示したものである。この図４に示されるように、シリンダブロック外側壁４とシリンダブロック本体３によって、シリンダブロック外側壁４の内周面２１とシリンダブロック本体３のシリンダ７の外周面９との間にウォータジャケット２４となる間隙が形成される。このウォータジャケット２４は、その上部が開口しており、該開口を塞ぐようにして、その上面にシリンダヘッド６が配設される。
【００２６】
そして、本実施の形態において、シリンダブロック外側壁４は、その底面２３がシリンダブロック本体３の外側壁載置部１４の載置面１１に載置され、これらシリンダブロック外側壁４の底面２３と外側壁載置部１４の載置面１１とが、シール部材３１によりシールされる。
【００２７】
図５は、図４に示したこのシール部材３１によるシール構造についてその周辺部分Ｚを拡大して示したものである。なお、この図５において、図５（ａ）は上記シール部材３１によるシール前、図５（ｂ）は同シール部材３１によるシール後の状態をそれぞれ示している。
【００２８】
上述のように、シリンダブロック外側壁４のシリンダブロック本体３とのシール対象面である底面２３には、環状のシール部材３１が一体に埋設されている。具体的には、図５（ａ）に示すように、このシール部材３１は、その環状に延びる方向と直交する断面が、略凸状の形状をなしている。そして、このシール部材３１の底面両側方に突出する突出辺先端部３１ａは、シリンダブロック外側壁４に設けられた溝４１の溝底面４１ａの両側方にそれぞれ埋めこまれている。また、断面略凸形状の中央部の突出辺３１ｂは、断面略円形状をなしており、その先端部３１ｃは、シリンダブロック外側壁４の底面２３から、溝４１の開口側に突出する長さに設定されている。そして、この断面略凸形状の中央部の突出辺３１ｂの側面と、シリンダブロック外側壁４の溝４１内の狭間隔の側壁面４１ｂとの間には、間隙３２が設けられている。
【００２９】
なお、シール前には、シリンダブロック外側壁４の底面２３から突出するように埋設されたシール部材３１の先端部３１ｃと、シリンダブロック本体３の載置面１１とが接している。すなわち、このシール前の接触面にてシールにより最初に付加される面圧を受けることとなる。
【００３０】
ここで、シリンダブロック外側壁４とシリンダブロック本体３とがシールされる方向に力が加えられると、シール部材３１は、その先端部３１ｃで面圧を受け、図５（ｂ）に示すように弾性変形する。そして、シール部材３１の中央部の突出辺３１ｂは、シリンダブロック外側壁４の側壁面４１ｂとの間に設けられた間隙３２を埋める方向に移動する。このとき、シール部材３１の弾性変形により、先端部３１ｃに付加される面圧は一定に保持される。
【００３１】
このようにシールされるシリンダブロック外側壁４とシリンダブロック本体３とは、シリンダブロック外側壁４の底面２３に設けられた位置決め穴２２（図３）とシリンダブロック本体３の載置面１１に設けられたノックピン２０（図２）とにより位置決めされて組み合わされる。そして、図６にエンジン１の部分破断斜視図を示す態様で、シリンダ７の上面である内周デッキ面１６及びシリンダブロック外側壁４の上面である外周デッキ面１５の上にガスケット５を介してシリンダヘッド６が載置される。その後、シリンダブロック外側壁４及びシリンダブロック本体３は、ヘッドボルト２５の締結を通じてシリンダヘッド６と一体に組み付けられる。すなわち、ヘッドボルト２５は、ガスケット５に設けられたボルト挿通孔１７（図２）、及びシリンダブロック外側壁４に設けられたボルト挿通孔１８を介して、シリンダブロック本体３に設けられたボルト穴１９に螺入されてねじ止めされ、シリンダヘッド６とシリンダブロック２とが一体に締結されることとなる。
【００３２】
次に、図７を参照して、シリンダブロック外側壁４の底面２３にシール部材３１を一体に埋設する方法の一例について参考までに説明する。この図７は、シリンダブロック外側壁４の成形に用いる成形型（金型）についてその部分断面構造を示したものである。この金型７０には、シール部材３１であるゴムガスケットを載置することのできるように、環状に２つの突条７１が設けられ、これら突条７１の間には環状に補助溝７２が設けられている。すなわち、上記シール部材３１を同図７に示す態様で金型７０に設けられた突条７１及び補助溝７２上に載置し、成形部７３に樹脂材料を流しこみ固化することにより、シール部材３１が埋設されたシリンダブロック外側壁４が型成形されるようになる。
【００３３】
以上説明したように、本実施の形態に係るエンジンのシール構造によれば、以下に列記するような効果が得られるようになる。
（１）上記シール構造においては、断面略凸形状のシール部材３１が、シリンダブロック外側壁４の、シール部材３１と対応した断面略凸形状に設けられた溝に埋設されており、且つシール部材３１の突出辺と溝の開口部の側壁面４１ｂとの間には、シール部材３１の弾性変形を許容する間隙３２が形成されている。このため、シール時の圧力により弾性変形したシール部材３１が間隙３２を埋めるように移動し、シール部材３１のシール面へのはみ出しなどを抑制することができる。すなわち、これによりシール構造の定寸締めの機能が果たされることになる。
【００３４】
（２）上記シール構造は、シール部材３１の弾性変形により、シール面の面圧が適正に維持されることにより実現される。このため、シール面に過剰の面圧が付加されることにより生じる、シール部材３１のシール面への噛み込みやシール構造の周辺部を構成する各種部材の変形、歪みなどを抑制することが可能となる。
【００３５】
（３）上記シール構造においては、シリンダブロック外側壁４が樹脂材料からなる。このため、金型などを用いて、軟性の弾性体材料からなるシール部材３１をシリンダブロック外側壁４に一体に埋設することを容易に行うことができる。
【００３６】
（４）上記シール構造では、シール部材３１の断面略凸状の中央部の突出辺３１ｂは、その断面が略円形状にて形成されている。このため、シール部材３１がシール時に面圧を受けて弾性変形してもシール幅が一定に保たれる。しかも載置時に上記突出辺３１ｂの中心がシール中心から逸れて組み付けられる場合であっても、同突出辺３１ｂの断面形状が略円形であるため、これによってもシール幅が一定に保たれる。したがって、シール部材３１はシール面に環状に形成されているため、シール面全体に渡って一定のシール幅にてシールすることが可能となる。
【００３７】
（５）シール部材３１は、ゴムガスケット等の軟性の弾性体材料からなる。ゴムガスケットは、軟性の弾性体材料として入手しやすい材料であり、且つ安定な材料である。このため、シール構造を低コストにて実現することができるようになる。また、エンジンのウォータジャケット周辺の水周り、エンジン各部の油周りのシール性を安定に保持し、高いシール性を確保することもできる。
【００３８】
なお、こうしたシール構造は、上記第１の実施の形態として示した構造に限らず、これを適宜に変形した、例えば以下に例示する態様にて実施することもできる。
（第１変形例）
上記実施の形態では、図５（ａ）に例示した形状のシール部材３１を用いることとしたが、これに代えて、図８（ａ）に例示するような形状のシール部材３１を用いることもできる。
【００３９】
図８（ａ）に、シリンダブロック外側壁４の底面２３にシール部材３１が一体に埋設されるシリンダブロック外側壁４の断面構造を示す。この変形例におけるシール部材３１の断面は、略凸形状の中央部の突出辺３１ｂが、略楕円形状をなして形成されている。
【００４０】
このような第１変形例によっても、上記（１）、（２）、（３）及び（５）と同等もしくはそれに準じた効果が得られるようになる。
（第２変形例）
同様に、上記実施の形態の図５（ａ）に例示したシール部材３１に代えて、図８（ｂ）に示すような形状のシール部材３１を用いることもできる。図８（ｂ）に示すように、この変形例におけるシール部材３１の断面は、略凸形状の中央部の突出辺３１ｂが、その先端部３１ｃに突条が設けられた扁平円形状をなして形成されている。すなわち、突出辺３１ｂの先端部３１ｃは小平面を含むような形状に形成されている。
【００４１】
このような第２変形例によっても、上記（１）、（２）、（３）及び（５）と同等もしくはそれに準じた効果が得られるようになる。
（第３変形例）
同様に、上記実施の形態の図５（ａ）に例示したシール部材３１に代えて、図８（ｃ）に示すような形状のシール部材３１を用いることもできる。図８（ｃ）に示すように、この変形例におけるシール部材３１の断面は、略凸形状の中央部の突出辺３１ｂから溝開口部側に突出する先端部が２つに分かれて形成され、先端部３１ｃがそれぞれ設けられている。また、これにともない、側面も段差を有する形状に形成されている。
【００４２】
このような第３変形例によっても、上記（１）、（２）、（３）及び（５）と同等もしくはそれに準じた効果が得られるようになる。
なお、シール部材３１の先端部は２以上に分かれて形成されても良く、また側面も複数の多段形状からなる形状で形成されてもよい。
【００４３】
（第４変形例）
同様に、上記実施の形態の図５（ａ）に例示したシール部材３１に代えて、図８（ｄ）に示すような形状のシール部材３１を用いることもできる。図８（ｄ）に示すように、この変形例におけるシール部材３１の断面は、略凸形状の中央部の突出辺３１ｂから溝開口部側に突出する先端部が２つに分かれて形成され、先端部３１ｃがそれぞれ設けられるとともに、突出辺３１ｂの内部には空間が設けられている。
【００４４】
このような第４変形例によっても、上記（１）、（２）、（３）及び（５）と同等もしくはそれに準じた効果が得られるようになる。
なお、突出辺３１ｂの内部の空間は、空洞でもよいし、任意の材料が充填されていてもよい。
【００４５】
（第２の実施の形態）
次に、この発明に係るエンジンのシール構造の第２の実施の形態について、図９及び図１０にしたがって説明する。
【００４６】
この実施の形態は、シリンダブロック２がシリンダブロック本体３とシリンダブロック外側壁４との別体構造からなることは前記第１の実施の形態と同様であり、シール構造の設けられる位置のみが前記第１の実施の形態と異なっている。
【００４７】
図９は、シリンダブロック外側壁４の平面構造を示す。すなわち、本実施の形態においては、シリンダブロック外側壁４の上面である外周デッキ面１５に、内周面２１に沿うように環状にシール部材５１が埋設される。
【００４８】
そして、図１０は本実施の形態にかかるシール構造も含めて、エンジン１の縦断面構造を示したものである。この図１０に示すように、本実施の形態では、シリンダヘッド６の底面２６とのシール対象面であるシリンダブロック外側壁４の外周デッキ面１５にシール部材５１が埋設される。そして、シリンダヘッド６はシリンダブロック外側壁４の上面に、ガスケット５を介して配設され、シール部材５１によりシールされることとなる。その他このシール部材５１により形成されるシール構造は、図５に例示した前記第１の実施の形態と同様である。
【００４９】
以上説明したように、この第２の実施の形態にかかるエンジンのシール構造によっても、シリンダブロック外側壁４とシリンダヘッド６とのシール構造に関して、先の図５に準じた構造が採用されることで、第１の実施の形態による前記（１）〜（５）の効果と同等、もしくはそれに準じた効果を得ることができるようになる。
【００５０】
なお、この第２の実施の形態に係るエンジンのシール構造に関しても、先の第１の実施の形態について補足した前記第１〜第４変形例（図８（ａ）〜（ｄ））については、それらを全て適用することができる。
【００５１】
（その他の実施の形態）
その他、上記第１及び第２の実施の形態に共通して変更可能な要素としては、以下のようなものがある。
【００５２】
・上記第１の実施の形態と第２の実施の形態とは、これらを組み合わせた構造とすることもできる。すなわち、シリンダブロック外側壁４の底面２３及び外周デッキ面１５の双方に環状のシール部材（３１、５１）をそれぞれ一体に埋設することができる。このように、シリンダブロック外側壁４とシリンダブロック本体３とのシール構造並びにシリンダブロック外側壁４とシリンダヘッド６とのシール構造の双方に前述したシール構造を適用することもできる。
【００５３】
・上記各実施の形態においては、シール部材（３１、５１）としてゴムガスケットを用いたが、軟性の弾性体材料であれば任意の材料を用いることが可能である。
・上記各実施の形態においては、シール対象面にシール部材を複数設け、シール構造を多環状に形成することも可能である。
【００５４】
・また、上記各実施の形態においてシール面に環状に埋設されるシール部材は、同シール面におけるシール性が十分確保されていれば、完全に環を形成せず、部分的に環を形成するように設けることも可能である。
【００５５】
・上記各実施の形態においては、上記シール構造と併用してシール対象面の一方あるいは両方にシール材等を塗布し、さらにシール性を高めることも可能である。
・上記各実施の形態において、シール部材（３１、５１）を埋設するシリンダブロック外側壁４の成形を成形型（金型）を用いて行ったが、シール部材（３１、５１）を一体に埋設することができる成形法であれば、任意の成形方法を選択することができる。
【００５６】
・上記各実施の形態においては、シリンダブロック２のシリンダ７に、シリンダライナ８を鋳込むこととしたが、このようなシリンダライナ８の鋳込みを割愛して、シリンダ７の内周面２１を表面処理して耐磨耗性を付与するようにしてもよい。これにより、エンジンとしての一層の軽量化を図ることができる。
【００５７】
・上記各実施の形態において、シリンダヘッド６とシリンダブロック２との間に配設されるガスケット５は、シリンダヘッド６とシリンダブロック２との接合面におけるシール性が確保できれば、接合面全体ではなく部分的に用いることも可能である。これにより、エンジンの軽量化を図ることができる。
【００５８】
・上記各実施の形態においては、シリンダブロック２がオープンデッキ型からなるとしたが、本発明に係るシール構造は、これに限らない任意の構造のシリンダブロックを備えるエンジンにも適用することができる。
【００５９】
・上記各実施の形態においては、直列４気筒エンジンの本発明に係るシール構造を適用する場合について言及したが、任意の形式のエンジンに本発明にかかるシール構造を適用することはできる。
【図面の簡単な説明】
【００６０】
【図１】本発明に係るシール構造の第１の実施の形態が適用されるエンジンについてその斜視構造を示す斜視図。
【図２】上記エンジンの分解斜視図。
【図３】同第１の実施の形態のシール構造に採用されるシリンダブロック外側壁側の構造として、その底面構造を示す底面図。
【図４】同第１の実施の形態のシール構造を上記エンジンのシリンダ軸に沿って切断した断面構造として示す断面図。
【図５】（ａ）及び（ｂ）は、図４の断面図の一部拡大断面図。
【図６】同第１の実施の形態のシール構造を上記エンジンのシリンダ間で切断した断面構造として示す破断斜視図。
【図７】同第１の実施の形態のシール構造を実現するシリンダブロック外側壁の成形方法について、図５に対応する断面構造として示す一部拡大断面図。
【図８】（ａ）〜（ｄ）は、第１の実施の形態の第１〜第４変形例について、図５（ａ）に対応する断面構造を示す一部拡大断面図。
【図９】本発明に係る第２の実施の形態について、そのシール構造に採用されるシリンダブロック外側壁側の構造として、その平面構造を示す平面図。
【図１０】同第２の実施の形態のシール構造を上記エンジンのシリンダ軸に沿って切断した断面構造として示す断面図。
【符号の説明】
【００６１】
１…エンジン、２…シリンダブロック、３…シリンダブロック本体、４…シリンダブロック外側壁、５…ガスケット、６…シリンダヘッド、７…シリンダ、８…シリンダライナ、９…外周面、１０…スカート、１１…載置面、１２、１３…リブ、１４…外側壁載置部、１５…外周デッキ面、１６…内周デッキ面、１７…ボルト挿通孔、１８…ボルト挿通孔、１９…ボルト穴、２０…ノックピン、２１…内周面、２２…位置決め穴、２３…シリンダブロック外側壁の底面、２４…ウォータジャケット、２５…ヘッドボルト、２６…シリンダヘッドの底面、３１…シール部材、３１ａ…突出辺先端部、３１ｂ…中央部の突出辺、３１ｃ…先端部、３２…間隙、４１…溝、４１ａ…溝底面、４１ｂ…側壁面、５１…シール部材、７０…金型、７１…突条、７２…補助溝、７３…成形部。
【図１】
2005207318.tif 000003
【図２】
2005207318.tif 000004
【図３】
2005207318.tif 000005
【図４】
2005207318.tif 000006
【図５】
2005207318.tif 000007
【図６】
2005207318.tif 000008
【図７】
2005207318.tif 000009
【図８】
2005207318.tif 000010
【図９】
2005207318.tif 000011
【図１０】
2005207318.tif 000012